(57)【要約】【課題】予め設定した長さで、繰り返しカットすること。【解決手段】テープ・ディスペンサー本体の底部に回転軸を設け、且つ前端に近いところにテープ出力の長さを設定できる調整部を結合し、且つテープ・ディスペンサー本体に制動部を設け、前記制動部の回転輪はテープ・ディスペンサー本体の外に突露し、其の高さは回転軸より高くしてある。テープ・ディスペンサー本体の前端にカッターを設置し、前記カッターの先端には復帰部を結合してある。【選択図】図２
2007297173.tif 000002
【特許請求の範囲】
【請求項１】
卓上型テープ・ディスペンサーの構造において、
テープ・ディスペンサー本体と、調整部と、制動部と、復帰部と、を含み、
前記テープ・ディスペンサー本体の後端に近いところにテープをセットし、且つ中央の底端に近いところに回転軸を設け、テープ・ディスペンサー本体の前端にはカッターを結合し、
前記調整部は、テープ・ディスペンサー本体の上に結合され、テープ出力の長さを設定するためのものであり、
前記制動部は、テープ・ディスペンサー本体の上に結合され、相互に噛み合う回転輪と、伝動部品及び回復部品を含み、
前記回転輪は、テープ・ディスペンサー本体の前端外部に突露しており、伝動部品及び回復部品を連動して回転させ、且つ回転輪の高さはテープ・ディスペンサー本体の回転軸より高くなっていて、
前記復帰部は、テープ・ディスペンサー本体の前端に結合されて、制動部の復帰を行うものであり、
使用に当たっては、手動でテープの出力端部を引っ張り出し、テープの接触面を回転軸にめぐらせた後、テープの接触面を制動部の回転輪に張り付け、テープの接触面が回転輪を回転させ、更に伝動部品及び回復部品を同期転動させる、回転輪が調整部で設定された長さまで回転すると、前記制動部の回転輪が止まり、且つテープをストップさせ、テープを下へ押さえてカットすることが出来る、下へ押さえてカットする過程で、テープが復帰部を触発して制動部を復帰させ、回転輪を釈放し、テープの引っ張り出し作業を繰り返すことが出来るようにしたことを特徴とする、
卓上型テープ・ディスペンサーの構造。
【請求項２】
前記調整部は、制御部品と、固定座と、圧縮スプリング及びカバーキャップを含み、前記制御部品の枢軸は、収容スペース片側の軸穴からもう一方の枢軸穴へ貫通し、前記枢軸端部を固定座に嵌めて固定させ、固定座の位置決め柱と収容スペース片側の位置決め穴とを嵌め合わせて固定し、制御部品のキャップを収容スペース片側の外に突露させ、且つ制御部品のキャップ片側に止め板を延伸し、且つキャップを枢接穴及び位置決め穴を設置した収容スペースの外側に結合させて固定座を封鎖し、且つ固定座とキャップの間に圧縮スプリングを設置することによって、制御部品が固定座を駆動してカバーキャップの方向へ一行程推移させると共に、圧縮スプリングによって制御部品を弾力復帰させ、調整部の固定座周縁に長さ単位を標示することが出来て、テープ・ディスペンサー本体の収容スペースに枢接穴を設け、数個の位置決め穴頂上面に固定座周縁と対応する表示窓を設置することによって、表示窓から固定座周縁の長さ単位をチェックし、テープ出力の長さの設定を行うことを特徴とする、請求項１に記載の卓上型テープ・ディスペンサーの構造。
【請求項３】
前記制動部の回転輪と、伝動部品及び回復部品は、全てテープ・ディスペンサー本体の収容スペースの中に結合され、回転輪の表面は粗面で収容スペースの外に突露していて、伝動部品の尾端に復帰部と結合するための溝を設け、回復部品の中にコイルスプリングを設け、外側に制御部品の止め板と対応する止め片を延伸し、且つ間隔を保ち、この間隔が即ち調整部によって設定されたテープの長さとなることを特徴とする、請求項１に記載の卓上型テープ・ディスペンサーの構造。
【請求項４】
前記復帰部は、バネと、底端にスプリングをセットしたスライドブロックと、を含み、前記スライドブロックは、テープ・ディスペンサー本体の前端に結合され、其の頂端はテープ・ディスペンサー本体の前端外に突露し、底端のスプリングはテープ・ディスペンサー本体の底板に当接し、スライドブロックがテープ・ディスペンサー本体前端で上下に移動できるようになっていて、前記バネは、テープ・ディスペンサー本体の底板延伸片の上に位置決めされ、且つバネの先端をテープ・ディスペンサー本体の中に固定し、中央部は制動部の伝動部品後端の溝と結合し、バネの後端には、スライドブロックと対応する斜面ブロック体を設置したことを特徴とする、請求項１に記載の卓上型テープ・ディスペンサーの構造。
【請求項５】
卓上型テープ・ディスペンサーの構造において、
テープ・ディスペンサー本体と、調整部と、回転輪と、復帰部と、を含み、
前記テープ・ディスペンサー本体後端は、テープをセットして位置決めするためのもので、中央に接近した底端に回転軸を設け、テープ・ディスペンサー本体の前端にカッターを結合してあり、
前記調整部は、テープ・ディスペンサー本体の上に結合され、テープ出力の長さを設定するためのものであり、
前記回転輪は、制動機能を備え、
前記復帰部は、回転輪を復帰させることができ、
使用に当たっては、手動でテープの接触面を回転輪に貼り付け、テープの接触面によって回転輪を転動させ、回転輪が調整部で設定した長さまで回転すると、前記回転輪が止まり、且つ同時にテープをストップさせ、テープを下へ押さえてカットすることができ、下へ押さえてカットする過程で、テープが復帰部を触発して回転輪を復帰させ、テープの引っ張り出し作業を繰り返すことが出来ることを特徴とする、
卓上型テープ・ディスペンサーの構造。
【請求項６】
卓上型テープ・ディスペンサーの使用方法であって、下記のステップを含むことを特徴とする卓上型テープ・ディスペンサーの使用方法。
ステップ１：手動方式で、テープ・ディスペンサー本体に位置決めされたテープの出力端部を引っ張り出し、テープの接触面を制動部の回転輪に貼り付けることによって、テープが回転輪を連動させるようにする。
ステップ２：テープ・ディスペンサー本体の調整部によって、テープをカットする長さを設定する。
ステップ３：設定が終わったら、テープの出力端部を引っ張り出し、設定値まで引っ張ったら、前記制動部の回転輪が止まり、テープを引っ張り出すことが出来なくなる。
ステップ４：次にテープを下へ押さえてカットする、カットする過程で、テープが復帰部を触発して制動部の回転輪を復帰させ且つ釈放し、テープの引っ張り出し作業を繰り返す。
【発明の詳細な説明】
【技術分野】
【０００１】
本発明は、卓上型テープ・ディスペンサーの構造及びその使用方法、特にテープの毎回使用時の長さを正確にコントロールし、使用上の便利さ及びテープの使用量を減少する目的を達成できる卓上型テープ・ディスペンサーの構造及びその使用方法に関するものである。
【背景技術】
【０００２】
現在、テープの使用は、既に各種の場所、例えば、一般家庭・スーパーマーケット・会社・商店などで幅広く応用されている、物品を貼り付けて固定する必要がある場合、テープによって貼り付け固定したり、或いは紙箱を一時的に貼って封じたりされている、そしてテープの使用は特にスーパーマーケット及び会社・商店などで最も常用されており、しかもテープの購買・使用量も一般家庭より遥かに多い。
【０００３】
しかしながら、テープのみによって紙箱を封じたり又はその他の物品を貼り付けたりすることは、包装や貼り付け作業にとって非常に不便であり、使用する前に、先ずテープの端部を探し出して貼った後、鋏でカットし、使用後は、其のテープのカットされた端部が又テープに貼り付き、再度使用する時、又もう一度テープの端部を探し出す動作を繰り返さなければならず、非常に時間の無駄であり不便である。
【０００４】
上述の欠点を解決するため、卓上型テープ・ディスペンサーが開発された。つまり、テープをテープ・ディスペンサーの上に位置決めし、且つテープ・ディスペンサーの前端にカッターを備え、テープを使用する時は、テープの端部を引っ張り出し、カッターによってテープをカットすると共に、次のテープの端部がカッターの台座の上に張り付くようにして、次回の引っ張り出しを容易にしている。
【０００５】
しかし、従来の卓上型テープ・ディスペンサーは、ただテープをカットするだけで、テープの毎回の長さをコントロールすることが出来ず、テープの使用上かなり不便である。このように、上述従来の物品には尚幾多の欠点があり、良い設計とは言いがたく、改良が待たれていた。
【発明の開示】
【発明が解決しようとする課題】
【０００６】
本発明の目的は、テープ出力の長さを設定し、毎回同じ長さのテープを引張りだし、使用上の便利さを達成できる卓上型テープ・ディスペンサーの構造及び其の使用方法を提供することにある。
本発明のもう一つの目的は、テープの使用量を節約できる卓上型テープ・ディスペンサーの構造及び其の使用方法を提供することにある。
【課題を解決するための手段】
【０００７】
上述発明の目的を達成できる卓上型テープ・ディスペンサーの構造及び其の使用方法は、テープ・ディスペンサー本体と、回転軸と、調整部と、制動部と、カッターと、復帰部と、を含み。前記回転軸は、テープ・ディスペンサー本体の中間位置に接近した底部に位置決め結合されている。前記調整部は、テープ・ディスペンサー本体の前端に接近したところに位置決め結合され、且つ調整部の制御部品をテープ・ディスペンサー本体の一方に突き出すことによって、テープ出力の長さを設定するようになっている。前記制動部は、テープ・ディスペンサー本体の中に設置され、且つ制動部の回転輪はテープ・ディスペンサー本体の外に突露しており、其の高さは回転軸より高くなっている。前記カッターは、テープ・ディスペンサー本体の先端に設置され、テープをカットするためのものである。前記復帰部は、テープ・ディスペンサー本体の前端に結合され、且つカッターの先端に突露している。使用に際しては、テープをテープ・ディスペンサー本体の上に固定し、且つ調節部の制御部品によってテープ出力の長さを設定し、更にテープの出力端部を先ず回転軸を巡らせて制動部の回転輪に張り付かせ、テープの出力端部が引っ張られると、回転輪を回転させ、回転輪がテープの長さの設定値まで回転すると、前記制動部が回転輪を止め、テープが出力できなくなると同時に、ストップが掛かる、この時、テープを下へ押さえて、テープ・ディスペンサー本体先端のカッターでテープをカットすることが出来る、そして、テープが下へ押されると、先ず復帰部に触れ、復帰部が制動部の回転輪を復帰させることによって、テープの出力端部が再び引っ張られる、このようにして、テープを使用する毎に、同じ長さを出力し、使用上の便利さ及びテープ・コストを節約する目的を達成できる。
【０００８】
すなわち、本願の第１発明は、卓上型テープ・ディスペンサーの構造において、テープ・ディスペンサー本体と、調整部と、制動部と、復帰部と、を含み、前記テープ・ディスペンサー本体の後端に近いところにテープをセットし、且つ中央の底端に近いところに回転軸を設け、テープ・ディスペンサー本体の前端にはカッターを結合し、前記調整部は、テープ・ディスペンサー本体の上に結合され、テープ出力の長さを設定するためのものであり、前記制動部は、テープ・ディスペンサー本体の上に結合され、相互に噛み合う回転輪と、伝動部品及び回復部品を含み、前記回転輪は、テープ・ディスペンサー本体の前端外部に突露しており、伝動部品及び回復部品を連動して回転させ、且つ回転輪の高さはテープ・ディスペンサー本体の回転軸より高くなっていて、前記復帰部は、テープ・ディスペンサー本体の前端に結合されて、制動部の復帰を行うものであり、使用に当たっては、手動でテープの出力端部を引っ張り出し、テープの接触面を回転軸にめぐらせた後、テープの接触面を制動部の回転輪に張り付け、テープの接触面が回転輪を回転させ、更に伝動部品及び回復部品を同期転動させる、回転輪が調整部で設定された長さまで回転すると、前記制動部の回転輪が止まり、且つテープをストップさせ、テープを下へ押さえてカットすることが出来る、下へ押さえてカットする過程で、テープが復帰部を触発して制動部を復帰させ、回転輪を釈放し、テープの引っ張り出し作業を繰り返すことが出来るようにしたことを特徴とする、卓上型テープ・ディスペンサーの構造を提供する。
【０００９】
本願の第２発明は、前記調整部は、制御部品と、固定座と、圧縮スプリング及びカバーキャップを含み、前記制御部品の枢軸は、収容スペース片側の軸穴からもう一方の枢軸穴へ貫通し、前記枢軸端部を固定座に嵌めて固定させ、固定座の位置決め柱と収容スペース片側の位置決め穴とを嵌め合わせて固定し、制御部品のキャップを収容スペース片側の外に突露させ、且つ制御部品のキャップ片側に止め板を延伸し、且つキャップを枢接穴及び位置決め穴を設置した収容スペースの外側に結合させて固定座を封鎖し、且つ固定座とキャップの間に圧縮スプリングを設置することによって、制御部品が固定座を駆動してカバーキャップの方向へ一行程推移させると共に、圧縮スプリングによって制御部品を弾力復帰させ、調整部の固定座周縁に長さ単位を標示することが出来て、テープ・ディスペンサー本体の収容スペースに枢接穴を設け、数個の位置決め穴頂上面に固定座周縁と対応する表示窓を設置することによって、表示窓から固定座周縁の長さ単位をチェックし、テープ出力の長さの設定を行うことを特徴とする、前記第１発明に記載の卓上型テープ・ディスペンサーの構造を提供する。
【００１０】
本願の第３発明は、前記制動部の回転輪と、伝動部品及び回復部品は、全てテープ・ディスペンサー本体の収容スペースの中に結合され、回転輪の表面は粗面で収容スペースの外に突露していて、伝動部品の尾端に復帰部と結合するための溝を設け、回復部品の中にコイルスプリングを設け、外側に制御部品の止め板と対応する止め片を延伸し、且つ間隔を保ち、この間隔が即ち調整部によって設定されたテープの長さとなることを特徴とする、前記第１発明に記載の卓上型テープ・ディスペンサーの構造を提供する。
【００１１】
本願の第４発明は、前記復帰部は、バネと、底端にスプリングをセットしたスライドブロックと、を含み、前記スライドブロックは、テープ・ディスペンサー本体の前端に結合され、其の頂端はテープ・ディスペンサー本体の前端外に突露し、底端のスプリングはテープ・ディスペンサー本体の底板に当接し、スライドブロックがテープ・ディスペンサー本体前端で上下に移動できるようになっていて、前記バネは、テープ・ディスペンサー本体の底板延伸片の上に位置決めされ、且つバネの先端をテープ・ディスペンサー本体の中に固定し、中央部は制動部の伝動部品後端の溝と結合し、バネの後端には、スライドブロックと対応する斜面ブロック体を設置したことを特徴とする、前記第１発明に記載の卓上型テープ・ディスペンサーの構造を提供する。
【００１２】
本願の第５発明は、卓上型テープ・ディスペンサーの構造において、テープ・ディスペンサー本体と、調整部と、回転輪と、復帰部と、を含み、前記テープ・ディスペンサー本体後端は、テープをセットして位置決めするためのもので、中央に接近した底端に回転軸を設け、テープ・ディスペンサー本体の前端にカッターを結合してあり、前記調整部は、テープ・ディスペンサー本体の上に結合され、テープ出力の長さを設定するためのものであり、前記回転輪は、制動機能を備え、前記復帰部は、回転輪を復帰させることができ、使用に当たっては、手動でテープの接触面を回転輪に貼り付け、テープの接触面によって回転輪を転動させ、回転輪が調整部で設定した長さまで回転すると、前記回転輪が止まり、且つ同時にテープをストップさせ、テープを下へ押さえてカットすることができ、下へ押さえてカットする過程で、テープが復帰部を触発して回転輪を復帰させ、テープの引っ張り出し作業を繰り返すことが出来ることを特徴とする、卓上型テープ・ディスペンサーの構造を提供する。
【００１３】
本願の第６発明は、卓上型テープ・ディスペンサーの使用方法であって、下記のステップを含むことを特徴とする卓上型テープ・ディスペンサーの使用方法。
ステップ１：手動方式で、テープ・ディスペンサー本体に位置決めされたテープの出力端部を引っ張り出し、テープの接触面を制動部の回転輪に貼り付けることによって、テープが回転輪を連動させるようにする。
ステップ２：テープ・ディスペンサー本体の調整部によって、テープをカットする長さを設定する。
ステップ３：設定が終わったら、テープの出力端部を引っ張り出し、設定値まで引っ張ったら、前記制動部の回転輪が止まり、テープを引っ張り出すことが出来なくなる。
ステップ４：次にテープを下へ押さえてカットする、カットする過程で、テープが復帰部を触発して制動部の回転輪を復帰させ且つ釈放し、テープの引っ張り出し作業を繰り返す。
【発明の効果】
【００１４】
本発明の提供する卓上型テープ・ディスペンサーの構造及びその使用方法は、その他従来の技術に比べ、更に下記のような長所がある、
本発明では、テープ出力の長さを設置することができ、毎回引っ張り出して使用されるテープの長さを同じとし、テープの使用量を節約する目的を達成できる。
本発明では、予めテープの長さを設定して、持続的にテープを引っ張り出してカットすることが出来、その他の復帰動作を全く必要とせず、便利な操作性を達成できる。
【発明を実施するための最良の形態】
【００１５】
図１Ａ，１Ｂ及び図２は、本発明に係る卓上型テープ・ディスペンサーの構造であり、主として、
テープ・ディスペンサー本体１と、調整部２と、制動部３と、復帰部４と、を含む。
【００１６】
前記テープ・ディスペンサー本体１の上にはテープ・ディスペンサー本体１の上で回転できる回転片１１が枢接され。回転片１１の上にはテープ位置決めリング１２をセットするための固定軸１１１が設置される。
固定軸１１１底端の一方に回転軸１１２を設置する。
前記テープ・ディスペンサー本体１の先端に近いところに収容スペース１３を設け、前記収容スペース１３の一方に軸穴１３１を設置する。
もう一方には枢接穴１４及び数個の位置決め穴１５が環設され、その頂上面に表示窓が設置される。
テープ・ディスペンサー本体１の先端にはカッター１７が結合される。
前記カッター１７の先端にスライド溝１８が設置され、且つテープ・ディスペンサー本体１の底面には底板１９が結合され、前記底板１９の上には延伸片１９１が設置されている。
【００１７】
前記調整部２は、制御部品２１と、固定座２２と、圧縮スプリング２３及びカバーキャップ２４と、を含む。
前記制御部品２１には、キャップ２１１を有し、且つキャップ２１１の頂上面にユーザーの指を入れる数個の凹み口２１５を設け、且つキャップ２１１底面の一方から止め板２１２を延伸し、中央部から前端周縁に数個の止めブロック２１４を環設した枢軸２１３を延伸してある。
前記固定座２２の片方側面周縁には数個の位置決め柱２２１を等間隔に延伸し、中央部には止め穴２２２が設置され、且つ固定座２２周縁に長さの単位２２３が標示される。
【００１８】
固定座２２のもう一方には中空円柱２２４が設置されている。前記カバーキャップ２４の内壁面には凹溝２４１が設置され、且つその周縁に数個の嵌着バネ２４２を延伸してある。
制御部品２１の枢軸２１３をテープ・ディスペンサー本体１の収容スペース１３片方の軸穴１３１を経由して収容スペース１３の中に入れ、且つもう一方の枢軸穴１４を貫通し、制御部品２１のキャップ２１１をテープ・ディスペンサー本体１の軸穴１３１の外に突露させ、枢軸２１３前縁の止めブロック２１４が固定座２２の止め穴２２２と嵌め合い、固定座２２の位置決め柱２２１がテープ・ディスペンサー本体１の収容スペース１３の片方の位置決め穴１５に貫通し、固定座２２周縁の長さ単位２２３をテープ・ディスペンサー本体１収容スペース１３の片方の表示窓１６と対応させる。
且つスプリング２３の一端を固定座２２の中空円柱２２４の外にセットする。
【００１９】
そしてカバーキャップ２４は、其の上の嵌着バネ２４２によってテープ・ディスペンサー本体１収容スペース１３に設置された枢軸穴１４及び位置決め穴１５の外側に嵌められ、固定座２２を封鎖し、スプリング２３の一端がカバーキャップ２４の凹溝２４１の中に留められるようにする。
尚、前記長さ単位２２３は、制御部品２１の周縁に標示しても良く、同様にテープ出力の長さを設定する効能を有する。
【００２０】
前記制動部３は、制御部品２１の枢軸２１３の上にセットされ、テープ・ディスペンサー本体１の収容スペース１３の中に収容されている。
前記制動部３は、主として回転輪３１と、伝動部品３２及び回復部品３３と、を含む。
前記回転輪３１の中に伝動器３１２を設置し、且つ其の表面は粗面３１１をなしている。
前記伝動部品３２の前端には第一駆動器３２１及び第二伝動器３２２を備え、末端には溝３２３を設置してある。
前記回復部品３３の中にはコイルスプリング３３１が結合され、且つ回復部品３３の底面には駆動器３３３が設置されており、其の片方から止め片３３２を延伸してある。
【００２１】
伝動部品３２及び回復部品３３を回転輪３１の中に結合して、伝動部品３２の第一駆動器３２１と回転輪３１の中の伝動器３１２とを噛み合わせる。
伝動部品３２の第二伝動器３２２は回復部品３３の駆動器３３３と噛み合わさり、且つ前記回復部品３３の止め片３３２は制御部品２１の止め板２１２と相互対応してある間隔を保つ。
この間隔が即ち調整部２によって設定されたテープ５の長さとなる。
【００２２】
前記回転輪３１はテープ・ディスペンサー本体１の収容スペース１３の外に突露しており、其の位置は回転軸１１２より遥かに高くしてある。尚、前記回転輪３１・伝動部品３２及び回復部品３３の伝動器３１２・３２２及び駆動器３２１・３３３は、ギヤであってよい。
前記復帰部４は、スライドブロック４１と、スプリング４２及びバネ４３を含む。前記スプリング４２の一端はスライドブロック４１の底端の凸軸４１２にセットされ、且つスライドブロック４１の頂端に凸起片４１１を延伸してある。
【００２３】
前記バネ４３先端の折れ曲がったところに固定板４３１があり、其の中央部に凹部４３２が設置してあり、且つ後端に斜面を有するブロック体４３３を延伸してある。
スライドブロック４１の凸起片４１１をテープ・ディスペンサー本体１前端のスライド溝１８から突露させ、スライドブロック４１底端のスプリング４２を底板１９に当接させ、且つバネ４３を底板１９の延伸片１９１に位置決めし、バネ４３前端の固定板４３１をテープ・ディスペンサー本体１の中に固定させる。
バネ４３の後端のブロック体４３３は、スライドブロック４１底端の一方と対応する。且つ前記制動部３の伝動部品３２後端の溝３２３は、バネ４３中央の凹部４３２の中に嵌まり込み、バネ４３が伝動部品３２を駆動して移動させる。
【００２４】
図３乃至図５及び組立図１は、本発明の操作略図である。
テープ５を使用する時は、手動方式で先ずテープ５をテープ位置決めリング１２の上にセットする。
且つ回転片１１をテープ・ディスペンサー本体１からめくり上げ、テープ５をセットしてあるテープ位置決めリング１２が回転片１１の固定軸１１１の上にセットできるようにする。
【００２５】
次にテープ５の出力端部５１を引っ張り、先ずテープ５の接触面を回転片１１の回転軸１１２にめぐらせて、テープ５の接触面が制動部３の回転輪３１に張り付くようにする。
回転輪３１表面の粗面３１１によってテープ５を引っ張るとき回転輪を連動させる。
【００２６】
この時、ユーザーは調整部２の制御部品２１を固定座２２へ向かって一行程押し進め、固定座２２の位置決め柱２２１をテープ・ディスペンサー本体１の位置決め穴１５から押し離すことによって、制御部品２１が固定座２２を駆動して回転させる。
【００２７】
このようにして、テープ・ディスペンサー本体１の表示窓１６によって固定座２２の上の長さ単位２２３をチェックし、テープ５の長さを設定することが出来る。
この時、調整部２の圧縮スプリング２３は圧縮状態にあり、一旦制御部品２１に対する力が取り除かれると、前記固定座２２及び制御部品２１は、圧縮スプリング２３の弾力によってもとの部位に戻り、固定座２２の位置決め柱２２１が再びテープ・ディスペンサー本体１の位置決め穴１５に嵌り、制御部品２１及び固定座２２を位置決めし、回転できないようにする。
【００２８】
一方、制御部品２１片側の止め板２１２と制動部３の回復部品３３片側の止め片３３２の間隔は、即ちテープの長さ設定値となる。
設定が終わると、ユーザーはテープ５を引っ張り、制動部３の回転輪３１を同期回転させ、且つ伝動部品３２及び回復部品３３を同時に回転させ、回復部品３３の中のコイルスプリング３３１に弾力性を生じさせる。
【００２９】
テープ５を設定値まで引っ張ると、前記制動部３の回復部品止め片３３２が調整部２の制御部品止め板２１２に止められ、回復部品３３が伝動部品３２及び回転輪３１の回転を制限する。
この時、前記テープ５の接触面は回転輪３１の上に張り付き、テープ５も同時に止められ、引っ張ることが出来なくなる。
【００３０】
次にテープ５をテープ・ディスペンサー本体１先端のカッター１７によって切断する。
切断する過程で、テープ５は先ず復帰部４のスライドブロック凸起片４１１に当接し、スライドブロック凸起片４１１がテープ５によって下へ押され、スライドブロック４１底端の片側がバネ４３後側のブロック体斜面４３３によって、バネ４３の後端を一行程推移させる。
且つ制動部３の伝動部品３２を同期連動させて後ろへ移動させ、伝動部品３２前端の第一駆動器３２１及び第二伝動器３２２が回転輪３１の伝動器３１２及び回復部品３３の駆動器３３３から離脱し、回復部品３３及び回転輪３１を回復部品３３の中のコイルスプリング３３１によって弾力復帰させる。
【００３１】
バネ４３前端は固定されているので、バネ４３の後端が移動するとき、前記バネ４３に弾力が生じ、テープ５のカットが終わると、前記復帰部４のスライドブロック４１が底端のスプリング４２によってもとの部位に戻る。
一方、前記バネ４３は、自体の弾力によって復帰し、制動部３の伝動部品３２と回転輪３１及び回復部品３３が再び噛み合って連動し、もう一度テープ５を引っ張り出すことが出来る。
しかも毎回引っ張ってカットされるテープ５の長さを同じ長さとし、操作の便利さ及びテープ５の使用量を節約する目的を達成する。
【００３２】
尚、前記回転片１１の固定軸１１１及び回転軸１１２は、直接テープ・ディスペンサー本体１の上に設置しても良く、前記回転輪１１２の位置も同様に制動部３の回転軸より低くすると、同じようにテープ５の長さを設定することが出来る。
従って、前記回転軸１１２及び固定軸１１１を設置する位置は、制限されていない。
【図面の簡単な説明】
【００３３】
【図１Ａ】本発明に係る卓上型テープ・ディスペンサーの構造及びその使用方法の分解略図である。
【図１Ｂ】本発明に係る卓上型テープ・ディスペンサーの構造及びその使用方法の分解略図である。
【図２】本発明に係る卓上型テープ・ディスペンサーの構造及びその使用方法の斜視略図である。
【図３】本発明に係る卓上型テープ・ディスペンサーの構造及びその使用方法の作動略図である。
【図４Ａ】本発明に係る卓上型テープ・ディスペンサーの構造及びその使用方法の断面略図である。
【図４Ｂ】本発明に係る卓上型テープ・ディスペンサーの構造及びその使用方法の断面略図である。
【図５Ａ】本発明に係る卓上型テープ・ディスペンサーの構造及びその使用方法の復帰部作動略図である。
【図５Ｂ】本発明に係る卓上型テープ・ディスペンサーの構造及びその使用方法の復帰部作動略図である。
【符号の説明】
【００３４】
１・・・・・テープ・ディスペンサー本体
１１・・・・回転片
１１１・・・固定軸
１１２・・・回転軸
１２・・・・テープ位置決めリング
１３・・・・収容スペース
１３１・・・軸穴
１４・・・・枢接穴
１５・・・・位置決め穴
１６・・・・表示窓
１７・・・・カッター
１８・・・・スライド溝
１９・・・・底板
１９１・・・延伸片
２・・・・・調整部
２１・・・・制御部品
２１１・・・キャップ
２１２・・・止め板
２１３・・・枢軸
２１４・・・止めブロック
２１５・・・凹み口
２２・・・・固定座
２２１・・・位置決め柱
２２２・・・止め穴
２２３・・・長さの単位
２２４・・・中空円柱
２３・・・・圧縮スプリング
２４・・・・カバーキャップ
２４１・・・凹溝
２４２・・・嵌着バネ
３・・・・・制動部
３１・・・・回転輪
３１１・・・粗面
３１２・・・伝動器
３２・・・・伝動部品
３２１・・・第一駆動器
３２２・・・第二伝動器
３２３・・・溝
３３・・・・回復部品
３３１・・・コイルスプリング
３３２・・・止め片
３３３・・・駆動器
４・・・・・復帰部
４１・・・・スライドブロック
４１１・・・凸起片
４１２・・・凸軸
４２・・・・スプリング
４３・・・・バネ
４３１・・・固定板
４３２・・・凹部
４３３・・・ブロック体
５・・・・・テープ
【図１Ａ】
2007297173.tif 000003
【図１Ｂ】
2007297173.tif 000004
【図２】
2007297173.tif 000005
【図３】
2007297173.tif 000006
【図４Ａ】
2007297173.tif 000007
【図４Ｂ】
2007297173.tif 000008
【図５Ａ】
2007297173.tif 000009
【図５Ｂ】
2007297173.tif 000010